(57)【要約】【課題】部品点数の削減。【解決手段】錠箱から常に突出するようラッチ、ラッチと共に進退動するラッチ作動杆、錠箱に付勢手段と共に組み込まれ、かつ扉の操作ハンドルの操作力に基づいてラッチを引き戻すハンドルカム、ラッチ作動杆に形成された係合押圧部の方向へ室内操作部材の操作力によって摺動すると、ハンドルカムに係合して該ハンドルカムをロックするスライダーロック片を備え、開扉時に、仮にスライダーロック片がハンドルカムをロックした状態になったとしても、閉扉の際にはラッチの先端部がストライクの縁と摺接することに起因して該ラッチが後退動すると、係合押圧部を介してスライダーロック片がロック解除の方向に押し戻される扉のラッチ錠。【選択図】図１
2010024781.tif 000002
【特許請求の範囲】
【請求項１】
錠箱から常に突出するようラッチバネに付勢されたラッチと、このラッチと共に進退動するラッチ作動杆と、前記錠箱に付勢手段と共に組み込まれ、かつ、扉の操作ハンドルの操作力に基づいて前記ラッチを引き戻すハンドルカムと、前記ラッチ作動杆に形成あるいは設けた係合押圧部の方向へ室内操作部材の操作力によって摺動すると、前記ハンドルカムに係合して該ハンドルカムをロックするスライダーロック片とを備え、開扉時に、仮に前記スライダーロック片が前記ハンドルカムをロックした状態になったとしても、閉扉の際には前記ラッチの先端部が戸枠あるいはストライクの縁と摺接することに起因して該ラッチが後退動すると、前記係合押圧部を介してスライダーロック片がロック解除の方向に押し戻されることを特徴とする扉のラッチ錠。
【請求項２】
請求項１に於いて、スライダーロック片は、少なくとも、室内操作部材に設けられた押腕と係合する係合受け部と、係合受け部に連設すると共にラッチ作動杆の係合押圧部に係脱する鉤状受け部を有し、錠箱に上下方向に案内されることを特徴とする扉のラッチ錠。
【請求項３】
請求項１又は請求項２に於いて、スライダーロック片は、合成樹脂製スライダー本体と、このスライダー本体に一体的に嵌合すると共に、ハンドルカムの駆動腕と係脱するロック部分を有する金属製カバーとから成ることを特徴とする扉のラッチ錠。
【請求項４】
請求項１に於いて、サムターンに相当する室内操作部材は、扉の内壁に沿って設けられた取付け台座と、この取付け台座に軸支された操作板と、この操作板の内面に設けられた押腕とから成り、前記操作板をプッシュ又はプルすると、スライダーロック片は所定方向に位置変位することを特徴とする扉のラッチ錠。
【請求項５】
請求項１に於いて、ラッチとラッチ作動杆は一体的に設けられたラッチボルト型であることを特徴とする扉のラッチ錠。
【発明の詳細な説明】
【技術分野】
【０００１】
本発明は、扉のラッチ錠に関する。
【背景技術】
【０００２】
特許文献１の図１及び図９には、ラッチ作動杆を基準とし、錠箱５の一方の空間にはラッチ引き戻し装置Ｘを構成する部材が、一方、錠箱５の他方の空間にはサムターン錠の締め出し防止装置Ｙを構成する部材がそれぞれ組み込まれていることが開示されている。  そして、前記サムターン錠の締め出し防止装置Ｙは、ラッチ作動杆（５０、５０Ａ）に係合するサムターンダルマ用リリース構成部材（７２、７２Ａ）を備え、図１で示す第１実施例の該リリース構成部材（７２）は、ラッチ作動杆（５０）に形成したレバー逃がし用切欠部（５４）の被係合面（５５）に係合爪部が係合するように軸支されたレバー（７３）、該レバーと連係すると共に水平方向に摺動するロック片解除用のスライダー（７４）、該スライダーに連係するように接続するサムターンダルマ（７１）及びサムターンダルマ用付勢手段によって構成されていた。
【０００３】
また、図９で示す第２実施例の該リリース構成部材（７２Ａ）は、ラッチ作動杆（５０Ａ）に形成したレバー逃がし用切欠部（５４Ａ）の被係合面（５５Ａ）に係合爪部が係合するように軸支された第１作動ギヤ（７３Ａ）、この第１作動ギヤ（７３Ａ）に噛合する第２作動ギヤ（７４Ａ）及び該第２作動ギヤに噛合するサムターンダルマ（７１Ａ）とから構成されている。
【０００４】
そして、第１実施例の該リリース構成部材（７２）並びに第２実施例の該リリース構成部材（７２Ａ）は、共に、内外の操作レバーで回動するハンドル軸（３１）と共働するハンドルカム（ラッチカム３０、３０Ａ）を直接的に係止（ロック）するものではなく、前記ハンドルカム（３０、３０Ａ）を直接的に係止するロック部材（７０、７０Ａ）は、例えば錠箱内の後方に別個に軸支されていた。
【０００５】
したがって、特許文献１のラサムターン錠（ラッチ錠）は、前記締め出し防止装置Ｙを構成する部材が多数であり、かつ複雑に連係し合っているので、部材同士の組み合わせが容易でない、錠箱を小型化できない等の改良すべき点があった。また、同時にサムターンに相当する室内操作部材の操作性の向上も図ることが期待されていた。なお、特許文献２にも、締め出し防止装置の一例が開示されている。また、符号は特許文献のものである。
【特許文献１】特開２００４−２０４６６２号公報
【特許文献２】特開２００４−１６２３１１号公報
【発明の開示】
【発明が解決しようとする課題】
【０００６】
本発明の所期の目的は、特許文献１や特許文献２と同様に、締め出し防止の効果を得ることである。第２の目的は、部材同士の組み合わせが容易である、錠箱を小型化できる、安価である等の利点を得ることである。
【課題を解決するための手段】
【０００７】
本発明の扉のラッチ錠は、錠箱から常に突出するようラッチバネに付勢されたラッチと、このラッチと共に進退動するラッチ作動杆と、前記錠箱に付勢手段と共に組み込まれ、かつ、扉の操作ハンドルの操作力に基づいて前記ラッチを引き戻すハンドルカムと、前記ラッチ作動杆に形成あるいは設けた係合押圧部の方向へ室内操作部材の操作力によって摺動すると、前記ハンドルカムに係合して該ハンドルカムをロックするスライダーロック片とを備え、開扉時に、仮に前記スライダーロック片が前記ハンドルカムをロックした状態になったとしても、閉扉の際には前記ラッチの先端部が戸枠あるいはストライクの縁と摺接することに起因して該ラッチが後退動すると、前記係合押圧部を介してスライダーロック片がロック解除の方向に押し戻されることを特徴とする。
【発明の効果】
【０００８】
（ａ）シンプルな構成により、閉扉時、スライダーロック片のロックが解除する。付言すると、ラッチ作動杆６を有するラッチ５と、このラッチ５の後退動に基づきハンドルカム７の係止を解除する方向に摺動するスライダーロック片８の「ニ物品」で、締め出し防止機構を構成したので、部材同士の組み合わせが容易である、錠箱を小型化できる、安価である等の利点を得ることができる。
（ｂ）請求項２に記載の発明は、室内操作部材に押腕を有する操作板を設け、いわゆるサムターンの機能を持たせることができるので、例えばプッシュ・プル方式により錠箱内のスライダーロック片８を位置変位させることができる。
（ｃ）請求項３に記載の発明は、金属製カバーがハンドルカムの駆動腕と係脱するロック部分を有するので、スライダーロック片８を強靭にすることができる。
（ｄ）請求項４に記載の発明は、加工の容易性、操作性の向上等を図ることができる。また、操作板を含む室内操作部材を扉の壁面から食み出さないようにすることもできる。
（ｅ）請求項５に記載の発明は、部材同士の連係の容易化を図ることができる。
【発明を実施するための最良の形態】
【０００９】
以下、図１乃至図１２に示す本発明を実施するための最良の形態（第１実施例）により説明する。
【００１０】
（１）本発明の基本的な構成・作用
図１は発明の実施の環境を示す概略説明図である。本実施例は、戸枠1の開口（出入り口）を開閉する開き扉（以下、「扉」という。）３の自由端部に取付けられたラッチ錠の締め出し防止機構Ｘである。
【００１１】
この締め出し防止機構Ｘは、極力、構成する部材を少なくすることを目的としており、基本的には、扉３の自由端部に取付けられた錠箱４と、この錠箱のフロント１８から先端部が常に突出するようラッチバネ１９に付勢されたラッチ５と、このラッチと共に進退動するラッチ作動杆６を基準として、前記錠箱４の一方側の内部空間に付勢手段３８と共に組み込まれ、かつ、扉３の内外の操作ハンドル６０の操作力に基づいてハンドル軸２０が所定方向に回転すると前記ラッチ５を引き戻すハンドルカム（ラッチカム）７と、一方、錠箱４の他方側の内部空間に組み込まれ、かつ前記ラッチ作動杆６に形成あるいは設けた係合押圧部２２の方向へサムターンに相当する室内操作部材６１の操作板６４の操作力によって摺動すると、前記ハンドルカム７の駆動腕３６に係合して該ハンドルカムをロックするスライダーロック片８を備えている。
【００１２】
そして、扉３の開扉時に、不注意により、サムターンに相当する室内操作部材６１の操作板６４を操作して、前記スライダーロック片８が前記ハンドルカム７を係止する方向に垂直移動した結果、前記ハンドルカム７をロックしたとしても、扉３の閉扉時には、前記ラッチ５の先端部５ａが戸枠１あるいはストライク２の縁と摺接することに起因して該ラッチ５が後退動すると、前記ラッチ作動杆６の係合押圧部（例えば傾斜状の押圧面）２２によってスライダーロック片８がロック解除の方向に押し戻されることを特徴とする。以下、本発明の特定要件について順次説明するが、細部的な事項は図面及びその説明を割愛する。
【００１３】
（２）図１の環境の説明
図１は、扉３を閉め、サムターンに相当する室内の操作板６４を操作していない状態である。この時、ラッチバネ１９に付勢されたラッチ５と該ラッチに一体的に設けられたラッチ作動杆６は初期位置に復帰していると共に、リリース部材に相当するスライダーロック片８は、ラッチ５の後退動に起因して既にロック解除の方向に押し戻されている。
したがって、扉３の外にいる人は、室外側の操作ハンドルを操作すると、ハンドル軸２０によってハンドルカム（ラッチカム）７が回転するので、室内（例えばトイレ）に入ることができる。
【００１４】
また、人が室内にいる場合には、前記操作板６４を操作（例えばプッシュ）すると、その押腕６５の押圧力によってスライダーロック片８が下方方向へと位置変位し、該スライダーロック片８の鉤状受け部４１ｂがラッチ作動杆６の凹所状切欠２１の係合押圧部（例えばその傾斜状押圧面）２２に係合可能な状態になると同時に、スライダーロック片８のロック部分（実施例では金属製カバー４２の係止底壁５３の端面）が、ハンドルカム７の駆動腕３６に係合して、該ハンドルカム７が所定方向に回転しないようにロックする。
【００１５】
ここで、図１を参照にして、本発明の要部を簡単に説明する。１は戸枠、２は受け具のストライク、３は扉、４は扉の自由端部に内装された錠箱、Ｘは錠箱４内に設けられ、かつ、主たる部材が「ニ物品」で構成された締め出し防止機構である。ここで、「主たる部材」とは、ラッチ作動杆６を有するラッチ５と、このラッチ５の後退動に基づき、ハンドルカム７の係止を解除する方向に摺動するスライダーロック片８である。
【００１６】
（３）錠箱４
錠箱４は、図４のケース身４ａと、図５のケース蓋４ｂとから成る。図４及び図５では、細部的事項である結合手段（例えばオネジ、メネジ）は省略してある。図４及び図５で示すように、ケース身４ａ及びケース蓋４ｂには、その中央部にラッチ作動杆６用の第１水平案内部（水平長孔）１１が形成されている。
【００１７】
この第１水平案内部１１を基準にして、錠箱４の上部側の中央部には、スライダーロック片８用の垂直案内部（垂直長孔）１２が形成されている。この垂直案内部１２を基準にして、錠箱４の右側には固定の案内軸用の軸孔１３が形成されている。また、軸孔１３の真上には、室内操作部材の押腕６５用の垂直窓１４が形成されている。
【００１８】
一方、前記第１水平案内部１１を基準にして、錠箱４の下部側の右端部寄りの部位には、ハンドル軸２０が貫通すると共に、ハンドルカム７が嵌合する嵌合孔１５が形成されている。また、嵌合孔１５の下には、付勢手段３８を構成するカム圧接体３８ｂ用の第２水平案内部（水平長孔）１６が形成されている。
【００１９】
その他、錠箱４にはラッチ５用の不番の案内部材が嵌合するコ字形状の切欠、スライダーロック片８用のストッパー手段（例えばクリック手段）５５を収納する収納部、座板用の取付け孔等が適宜に形成されている。
【００２０】
なお、図４に於いて、１７は長板状の取付け前板で、この取付け前板１７は、図１で示すようにフロント１８と合体する。
【００２１】
（４）ラッチ５とラッチ作動杆６
ラッチ５はラッチバネ１９のバネ力により、その先端部（係合頭部）５ａが常にフロント６から突出している。本実施例では、ラッチ５は、ラッチ作動杆６とそのラッチ連結軸５ｂを介して一体的に結合しているラッチボルト型であるから、ラッチ５が後退すると、ラッチ作動杆６も一緒に錠箱４内へと後退する。
【００２２】
図１で示すように、ラッチ５は、スライダーロック片８がラッチ作動杆６から離れていることを条件としてハンドルカム７で引き戻すことが可能である。付言すると、スライダーロック片８がハンドルカム７から離れた場合に内外の操作ハンドルを所定方向（図１では時計方向）に回転することが可能となり、ハンドル軸２０と共にハンドルカム７が所定方向に回動すると、ハンドルカム７の駆動腕によってラッチ５はラッチ作動杆６と共に後退動する。
【００２３】
ここで、図６を参照にしてラッチ５とラッチ作動杆６の構成を説明する。ラッチ５は、先端部５ａと、この先端部５ａに一体的に設けられたラッチ連結軸５ｂとから成り、前記先端部５ａは、戸枠１或はストライク２の縁部に当る傾斜状摺接面と、この傾斜状摺接面と交差し、閉戸時に前記ストライク２に係止される衝止面或いは係合面と、この係合面と直交する後壁面とを有している。
【００２４】
また前記ラッチ連結軸５ｂは、その後端部に環状溝に連設する鍔状嵌合部を有している。ラッチ５は、閉戸時に戸枠１等の縁部に当って後退する機能を有するのであれば、その形態や機能を特に限定するものではない。したがって、後退しながら回動する反転ラッチでも良い。本実施例では、ラッチ５はラッチ連結軸を介してラッチ作動杆６に一体的に合体している。
【００２５】
しかして、前記ラッチ作動杆６は、本実施例では長杆状に形成され、その略中央部には、係合押圧部（例えば傾斜状の押圧面）２２を有する切欠凹所２１が形成されている。また、ラッチ作動杆６の手前の側面（図１では正面）と背面（図１では向こう側）の適宜箇所には、錠箱４の第１水平案内部１１に係合する小突起２３が設けられている。
【００２６】
また、ラッチ作動杆６の底面には、錠箱内に固定した消音用の弾性体２４に衝突するＬ字形状のストッパー２５が突設されている。さらに、前記背面の後端部には、ハンドルカム７の駆動腕３６が貫通する係合切欠溝２６が形成されている。加えて、ラッチ作動杆６の後端部には、ラッチバネ１９の先端部を支持する突起２７が設けられている
（５）ハンドルカム７と付勢手段
次に、図１及び図６を参照にしてハンドルカム７の構成を説明する。ハンドルカム７は、ケース身４ａ及びケース蓋４ｂの嵌合孔１５に嵌合して、例えば扉３の内外の壁面に回動可能に設けられたレバーハンドルに操作力によりハンドル軸２０と協働して所定量回転する。
【００２７】
しかして、３２はハンドル軸２０が貫通する角軸孔を有する筒状嵌合部（ハブ）、３３は筒状嵌合部３２の周壁に連設する環状の摺接部、３４は環状摺接部３３の一部から半径方向にヒレ状に突出形成された被係合部、３６は同じく環状摺接部３３の一部から前記被係合部３４とは反対方向に指先状に突出形成された駆動腕である。
【００２８】
そして、本実施例では、前記駆動腕３６の先端部にスライダーロック片８と係合する爪部３７が形成されている。なお、錠箱内の下部には、ハンドルカム７用付勢手段３８が配設され、本実施例では、バネ３８ａと、カム圧接体３８ｂとから構成されている。
【００２９】
（６）スライダーロック片８
次に、図７乃至図９を参照にしてハンドルカム７の構成を説明する。スライダーロック片８は、少なくとも、室内操作部材に設けられた押腕６５と係合する係合受け部４１ａと、係合受け部に連設すると共にラッチ作動杆６の係合押圧部２２に係脱する鉤状受け部４１ｂとを有し、錠箱４に上下方向に案内される。
【００３０】
本実施例では、加工の容易性及び強靭性を考慮して、スライダーロック片８は、合成樹脂製スライダー本体４１と、このスライダー本体に一体的に外嵌合すると共に、ハンドルカム７の駆動腕３６と係脱するロック部分を有する金属製カバー４２とから成る。
【００３１】
まず、前記合成樹脂製スライダー本体４１の構成を説明する。例えば図８を参照にすると、符号４１ａは垂直状態のブロック形状をした係合受け部で、この係合受け部４１ａには、少なくとも室内操作部材の押腕６５と係合する係合孔４３が形成されている。本実施例では、前記係合孔４３は係合受け部４１ａの上端部側に形成され、また、該係合受け部４１ａの下端部側には錠箱４に横設した案内軸（固定軸）４４に係合する垂直案内長孔４５が形成されている。
【００３２】
また、符号４１ｂは前記係合受け部４１ａの一側面（垂直面）の下部に突出形成された鉤状受け部で、この鉤状受け部４１ｂの下向き先端部には、ラッチ作動杆６の傾斜状の係合押圧部２２（例えば横軸に軸支された小ローラ、対向傾斜面等）に係脱する被係合部（例えば対向傾斜面、横軸に軸支された小ローラ等）４６が形成或は設けられている。
【００３３】
さらに、鉤状受け部４１ｂの手前の側面と背面の適宜箇所には、錠箱４の垂直案内部１２に係合する案内突起４７が設けられている。なお、前記係合受け部４１ａの下端部側の壁面は、金属製カバー４２を一体的に装着するために適宜に切欠４８されている。
【００３４】
また、係合受け部４１ａの上部側の後壁には、ストッパー手段（例えばバネと圧接ボールから成るクリック手段）５５を構成するクリックボールと係脱する波状の係合溝４９が連続的に形成されている。
【００３５】
次に、図９を参照にして金属製カバー４２の構成を説明する。金属製カバー４２の形態は、適宜に形成できる設計変更事項であるが、例えば係合受け部４１ａの切欠４８にフイットするように該係合受け部４１ａの下部側の壁面に接合すると共に、前述した垂直案内長孔４５と符合する垂直案内長孔５２を有する垂直嵌合壁５１と、この垂直嵌合壁５１の一端部（実施例では下端部）を直交方向に折り曲げで形成した係止底壁５３と、同様に垂直嵌合壁５１の左右側端部に折り曲げで形成した複数本の支持アーム５４とから成り、少なくとも、前記係止底壁５３の一端面５３ａがハンドルカム７の駆動腕の爪部３７と係合するロック部分である。
【００３６】
（７）室内操作部材
次に、図１０を参照にして、室内操作部材６１を説明する。扉３の室内側の壁面３ａに内側の操作ハンドル（例えばレバーハンドル）６０と、室内操作部材６１がそれぞれ独立して設けられた一例である。室内操作部材６１を構成する操作板６４は、室内から操作するので、いわゆるサムターンの摘みに相当するが、本実施例では、操作性、意匠の美観性等考慮して、室内操作部材６１は、扉の内壁に沿って設けられ外観上矩形の取付け台座６２と、この取付け台座の開口内に支軸６３を介して軸支された外観上矩形の操作板６４と、この操作板６４の内面中央部に一体的に設けられた押腕６５とから成るプッシュ・プル方式である。
【００３７】
（８）作用
図１１は、図１のロック解除の状態に於いて、室内操作部材６１を操作（例えばプッシュ）した結果、スライダーロック片８が所定位置まで可動してハンドルカム７を係止した説明図である。また、図１２は、扉３を開いたとき、不注意により室内操作部材６１を操作（例えばプッシュ）した結果、前記スライダーロック片が前記ハンドルカムをロックし、その後、閉扉すると、ラッチ５の先端部５ａが戸枠１あるいはストライク２の縁と摺接することに起因して該ラッチ５が後退動すると、ラッチ作動杆６の係合押圧部２２を介してスライダーロック片８がロック解除の方向に押し戻されことを簡略的に示した説明図である。
【実施例】
【００３８】
発明の実施の形態で示した実施例に於いて、本実施例のラッチ５とラッチ用作動杆６とは別部材を一体的に連結されているが、ラッチ５のラッチ連結軸５ｂを長杆状に形成し、該ラッチ連結軸５ｂに係合押圧部２２を有する切欠凹所２１を形成しても良い（これも同一発明である）。
【００３９】
また、本実施例では、図１０で示すように操作板６４を操作（例えばプッシュ）すると、その押腕６５の押圧力によってスライダーロック片８が下方方向へと位置変位し、該スライダーロック片８の鉤状受け部４１ｂがラッチ作動杆６の凹所状切欠２１の係合押圧部（例えばその傾斜状押圧面）２２に係合可能な状態になるが、もちろん、操作板６４をプルするとその押腕６５の押圧力によってスライダーロック片８が所定方向へと位置変位するように構成しても良い。
【００４０】
さらに、本実施例ではスライダーロック片８を構成するスライダー本体４１の係合受け部４１ａの後壁には、ストッパー手段（例えばバネと圧接ボールから成るクリック手段）５５を構成するクリックボールと係脱する波状の係合溝４９が連続的に形成されているが、該ストッパー手段はクリックボール、クリックバネ等に限定するものではなく、ストッパー機能を有するものであれば、弾性体、楔体等であっても良い。また、ストッパー手段は、室内操作部材６１に設けても良い。
【産業上の利用可能性】
【００４１】
本発明は、主に錠前や建具の業界で利用される。
【図面の簡単な説明】
【００４２】
図１乃至図１２は本発明の最良の実施例を示す各説明図。
【図１】閉扉時、スライダーロック片のロックが解除した状態の説明図。
【図２】図１の２−２線概略断面説明図。
【図３】図１の３−３線概略断面説明図。
【図４】ケース身の正面図。
【図５】ケース蓋の正面図。
【図６】ラッチとラッチ作動杆とハンドルカムの説明図。
【図７】スライダーロック片の構成を示す説明図。
【図８】スライダー本体の説明図。
【図９】金属製カバーの説明図。
【図１０】室内操作部材６１の説明図。
【図１１】図１のロック解除の状態に於いて、スライダーロック片８がハンドルカム７を係止した説明図。
【図１２】主要部の作用を示す概略説明図。
【符号の説明】
【００４３】
Ｘ…締め出し防止機構、1…戸枠、２…ストライク、３…扉、４…錠箱、４ａ…ケース身、４ｂ…ケース蓋、５…ラッチ、５ａ…先端部（係合頭部）、５ｂ…ラッチ連結軸、６…ラッチ作動杆、７…ハンドルカム（ラッチカム）、８…スライダーロック片、１１…第１水平案内部（水平長孔）、１２…垂直案内部（垂直長孔）、１３…軸孔、１４…垂直窓、１５…嵌合孔、１６…第２水平案内部（水平長孔）、１７…取付け前板、１８…フロント、１９…ラッチバネ、２０…ハンドル軸、２１…切欠凹所、２２…係合押圧部、２３…小突起、２４…弾性体、２６…係合切欠溝、２７…突起、３２…筒状嵌合部（ハブ）、３３…摺接部、３４…被係合部、３６…駆動腕、３７…爪部、３８…付勢手段、４１…スライダー本体、４１ａ…係合受け部、４１ｂ…鉤状受け部、４２…金属製カバー、４３…係合孔、４４…案内軸（固定軸）、４５…垂直案内長孔、４６…被係合部、４７…案内突起、４８…切欠、４９…係合溝、５１…垂直嵌合壁、５２…垂直案内長孔、５３…係止底壁、５３ａ…ロック部分、５４…支持アーム、５５…ストッパー手段、６０…内側の操作ハンドル、６１…室内操作部材、６２…取付け台座、６３…支軸、６４…操作板、６５…押腕。
【図１】
2010024781.tif 000003
【図２】
2010024781.tif 000004
【図３】
2010024781.tif 000005
【図４】
2010024781.tif 000006
【図５】
2010024781.tif 000007
【図６】
2010024781.tif 000008
【図７】
2010024781.tif 000009
【図８】
2010024781.tif 000010
【図９】
2010024781.tif 000011
【図１０】
2010024781.tif 000012
【図１１】
2010024781.tif 000013
【図１２】
2010024781.tif 000014